(57)【要約】【課題】仮設足場や資材置場等に設けられる扉を簡易な構造とすることができ、取付けも極めて容易なものとすることができ、しかも、人の侵入を確実に防止することができるようにする。【解決手段】簡易扉１をメッシュ扉等の扉本体２とクランプ付きのヒンジ装置３とクランプ付きのロック装置４から構成し、支柱側のヒンジ管３２を一体的に設けたクランプ３０を一方の建地に固定し、フック４２の付いたスライダ４３を水平スライド自在に支持するスライダ受け４４を一体的に設けたクランプ４０を他方の建地に固定する。【選択図】      図１
2004316156.tif 000002
【特許請求の範囲】
【請求項１】
仮設足場や資材置場等の左右一対の支柱間に取付けられる簡易扉であり、扉本体の吊元側のヒンジ部品がクランプを介して一方の支柱に固定され、扉本体の自由端側のロック部品がクランプを介して他方の支柱に固定されていることを特徴とする簡易扉。
【請求項２】
請求項１に記載の簡易扉において、扉本体がメッシュ扉であることを特徴とする簡易扉。
【請求項３】
仮設足場や資材置場等の左右一対の支柱間に取付けられる簡易扉のヒンジ装置であり、前記支柱の外周に取付けられる基体と抱持体とを締結ボルトで緊結してなるクランプの基体に、ヒンジ部品のヒンジボルトが挿入されるクランプ側のヒンジ管が一体的に設けられていることを特徴とする簡易扉のヒンジ装置。
【請求項４】
仮設足場や資材置場等の左右一対の支柱間に取付けられる簡易扉のロック装置であり、前記支柱の外周に取付けられる基体と抱持体とを締結ボルトで緊結してなるクランプの基体に、ロック部品の扉本体の自由端側を係止可能なフックを有するスライダを水平スライド自在に支持するスライダ受けが一体的に設けられていることを特徴とする簡易扉のロック装置。
【発明の詳細な説明】
【０００１】
【発明の属する技術分野】
本発明は、工事現場などに設置される仮設足場や資材置場等に設けられる簡易扉に関するものである。
【０００２】
【従来の技術】
高架道路の補修などに使用する仮設足場あるいは養生枠で囲った資材置場などの出入口には、一般の人が侵入できないように扉を設ける必要がある。この種の扉は、吊元側をヒンジで開閉自在に支持し、自由端側のロック機構で施錠するのが一般的であり、本発明に関連する先行技術として例えば特許文献１がある。
【０００３】
この特許文献１の発明は、工事現場などの出入口等に仮設される仮設門扉用のくぐり戸であり、扉本体を囲むように長方形状の外枠を設け、扉本体と外枠の縦枠同士をヒンジ（丁番）で連結し、ロック機構のラッチ錠やシリンダ錠などの錠扞が挿入される係合穴を外枠の縦枠に設けている。また、外枠の左右一対の縦枠とパネルの左右一対の支柱とがそれぞれ、縦枠に取付けたクランプ取付部材と、支柱を抱持するクランプにより固定されている。
【０００４】
【特許文献１】
特開２００２−３８８５７号公報
【０００５】
【発明が解決しようとする課題】
従来の特許文献１の発明の場合、扉本体の外側を取り囲む長方形状の外枠が必要であり、扉本体と外枠の間にヒンジ部品とロック部品を設け、外枠をクランプ取付部材とクランプによって支柱に取付けるため、扉構造が複雑であり、部材点数も増え、また取付けも面倒であるなど、資材置場や仮設足場等に設ける簡易扉には、適しているとはいえない。
【０００６】
本発明は、仮設足場や資材置場等に設けられる扉を簡易な構造とすることができ、取付けも極めて容易なものとすることができ、しかも、人の侵入を確実に防止することのできる簡易扉とそのヒンジ装置及びロック装置を提供することを目的とする。
【０００７】
【課題を解決するための手段】
本発明の請求項１は、仮設足場や資材置場等の左右一対の支柱間に取付けられる簡易扉であり、扉本体の吊元側のヒンジ部品がクランプを介して一方の支柱に固定され、扉本体の自由端側のロック部品がクランプを介して他方の支柱に固定されていることを特徴とする簡易扉である。左右一対の支柱は、仮設足場の場合は建枠の建地、資材置場の場合は養生枠を取付ける支柱である。
【０００８】
本発明の請求項２は、請求項１に記載の簡易扉において、扉本体がメッシュ扉であることを特徴とする簡易扉である。メッシュ扉は、扉枠にワイヤーメッシュを取付けて構成する。広巾の建枠等の場合、狭巾用の扉本体に追加用の扉本体をボルト・ナットで接続して広巾の扉本体とすることができる。
【０００９】
本発明の請求項３は、仮設足場や資材置場等の左右一対の支柱間に取付けられる簡易扉のヒンジ装置であり、前記支柱の外周に取付けられる基体と抱持体とを締結ボルトで緊結してなるクランプの基体に、ヒンジ部品のヒンジボルトが挿入されるクランプ側のヒンジ管が一体的に設けられていることを特徴とする簡易扉のヒンジ装置である。扉本体の吊元側にも扉側のヒンジ管を取付けておく。
【００１０】
本発明の請求項４は、仮設足場や資材置場等の左右一対の支柱間に取付けられる簡易扉のロック装置であり、前記支柱の外周に取付けられる基体と抱持体とを締結ボルトで緊結してなるクランプの基体に、ロック部品の扉本体の自由端側を係止可能なフックを有するスライダを水平スライド自在に支持するスライダ受けが一体的に設けられていることを特徴とする簡易扉のロック装置である。スライダとスライダ受けには、施錠状態で上下に重なり合う水平の固定片を設けておき、南京錠等で施錠する。
【００１１】
上記のヒンジ装置及びロック装置のクランプには、建地や足場管などの２種類の径に対応できる兼用クランプを用いるのが好ましい。また、建枠の場合には、ヒンジ管やスライダ受けをクランプに直接溶接等で固定する。資材置場の場合は、連結部材を介在させて溶接等で固定し、養生枠の端部をクランプの横に配置して固定できるようにする。
【００１２】
以上のような構成において、ヒンジ管が一体的に設けられたクランプを一方の支柱に固定し、スライダ受けが一体的に設けられたクランプを他方の支柱に固定し、扉本体の吊元側のヒンジ管と上記のクランプのヒンジ管にヒンジボルトを挿入して扉本体を開閉自在に取付ける。扉本体を閉じて、スライダを水平スライドさせてスライダのフックを扉本体の自由端側の縦枠に係合させれば、扉本体の開きが阻止される。スライダとスライダ受けの上下に重なり合う水平の固定片に南京錠等を掛ければ、確実に施錠される。
【００１３】
以上のような本発明によれば、仮設足場や資材置場等の支柱にヒンジ部品やロック部品をクランプを介して直接取付けるため、従来のような扉本体の外側を取り囲む長方形状の外枠や、外枠を支柱に取付けるクランプ取付部材及びクランプが不要となり、簡易な扉構造で、部材点数も少なく、また取付けも極めて容易に行うことができ、簡易で低コストの扉が得られる。しかも、クランプとヒンジ部品及びロック部品が一体となっており、人の侵入を確実に防止することができる。また、扉本体を上下反転すれば、反対開きとすることができる。
【００１４】
【発明の実施の形態】
以下、本発明を図示する実施の形態に基づいて説明する。図１、図２は、本発明の簡易扉を高架道路の補修などに使用する仮設足場の出入口に適用した例である。図３〜図６は、本発明の簡易扉を養生枠で囲った資材置場に適用した例である。
【００１５】
図１の実施形態は、仮設足場の地上に設置される鳥居型建枠Ａに本発明の簡易扉１を設けており、鳥居型建枠Ａの巾が比較的狭い  ９００巾の場合である。簡易扉１は、主に、メッシュ扉による扉本体２と、クランプ付きのヒンジ装置３と、クランプ付きのロック装置４から構成されている。
【００１６】
扉本体２は、縦横に配置されたワイヤーメッシュ２０と、角パイプからなる扉枠２１から構成されている。扉枠２１は、左右の縦枠２２、２３と、上下の横枠２４、２４と、中間部の横枠２５からなる。
【００１７】
ヒンジ装置３は、建枠Ａの一方の建地ａ１  に固定されるクランプ３０と、これに対応する一方の縦枠２２に設けられるヒンジ部品３１から構成されている。ヒンジ部品３１は、後に詳述するように、クランプ側のヒンジ管３２と、扉側のヒンジ管３３と、ヒンジボルト３４などからなる。このようなヒンジ装置３は、扉の吊元側に上下に適当な間隔をおいて一対で配置される。
【００１８】
ロック装置４は、建枠Ａの他方の建地ａ２  に固定されるクランプ４０と、このクランプ４０に設けられるロック部品４１から構成されている。ロック部品４１は、後に詳述するように、水平スライドにより扉の自由端側の縦枠２３を係止するフック４２を有するスライダ４３と、このスライダ４３を水平スライド自在に支持するスライダ受け４４などからなる。このようなロック装置４は、扉の自由端側に上下方向の中間部に一箇所配置される。
【００１９】
図２の実施形態は、鳥居型建枠Ａの巾が比較的広い１２００巾の場合である。この場合、図１の  ９００巾の扉本体２を利用する。即ち、  ９００巾の扉本体２−１と狭巾の扉本体２−２との縦枠同士をボルト・ナット２６で固定し、１２００巾の扉本体とする。その他の構成は、図１の実施形態と同じである。
【００２０】
なお、図１、図２において、仮設足場の両側面は、養生枠等により閉じられており、この養生枠等の端部がクランプ３０、４０の基体（固定クランプ）に設けられた固定ピン等により固定される。また、クランプ３０、４０は、基体が外側に位置し、抱持体（可動クランプ）が内側に位置するように配置される。
【００２１】
図３〜図６の実施形態において、資材置場Ｂは、所定の間隔をおいて立設された支柱（足場管など）ｂと、支柱上部のつなぎ梁ｃと、金網等と外枠からなる養生枠ｄなどから構成されている。このような資材置場Ｂの場合、一箇所だけ養生枠ｄの代わりに簡易扉１を配置する。
【００２２】
図３に示すように、扉設置箇所における左右一対の支柱ｂ１  、ｂ２  に、それぞれクランプ付きのヒンジ装置３とクランプ付きのロック装置４が設けられるが、クランプ３０とヒンジ部品３１との間、クランプ４０とロック部品４１との間に、連結部材５を介在させてスペースを形成し、養生枠ｄの端部をクランプ３０や４０の横に添接して固定できるようにする。その他の構成は、建枠Ａの実施形態と同じである。
【００２３】
図４、図５の実施形態では、  ９００巾の扉本体２を使用している。図６の実施形態では、１２００巾の扉本体２−１・２−２を使用している。なお、扉設置箇所の支柱ｂ１  、ｂ２  以外の支柱ｂにもクランプが取付けられており、このクランプや扉のクランプ３０、４０に養生枠ｄの端部がクランプに設けられた固定ピン等により固定される。
【００２４】
図７は、扉側のヒンジ管３３の一例を示したものであり、吊元側の縦枠２２の内部側の面に取付板３５を溶接で固定し、この取付板３５の上下にヒンジ管３３を溶接で固定している。上下のヒンジ管３３、３３の間にクランプ側のヒンジ管３２が挿入され、これらヒンジ管３２、３３にヒンジボルト３４が挿入され、両者が回転自在に固定される。
【００２５】
図８は、ヒンジ装置３の一例を示したものである。クランプ３０は、略Ｌ字状の基体（固定クランプ）３０ａと、この基体３０ａに一端が軸着された略円弧状の抱持体（可動クランプ）３０ｂと、基体３０ａと抱持体３０ｂの端部同士を着脱自在に緊結する締結ボルト・ナット３０ｃからなる。なお、このクランプ３０は、建地や足場管などの２種類の径に対応できる兼用クランプを用いるのが好ましい。
【００２６】
建枠用の場合には、図８（ａ）  に示すように、基体３０ａの外面にヒンジ管３２の側面が溶接で固定される。このヒンジ管３２の固定位置は、開閉する扉本体が当たらないように、抱持体３０ｂの軸着部分における突出部分が好ましい。資材置場用の場合は、図８（ｂ）  に示すように、フラットバーからなる連結部材５の基端部を基体３０ａの外面に溶接で固定し、連結部材５の先端面にヒンジ管３２を溶接で固定する。
【００２７】
図９は、建枠用のロック装置４の一例を示したものである。図１０は、そのクランプとスライダ受けを示したものである。図１１は、スライダを示したものである。図１２は、資材置場用のロック装置４の一例を示したものである。
【００２８】
図１１に示すように、スライダ４３は、略長方形の板の一端部の外面にＬ字状のフック４２を突設し、このフック４２の端部側に南京錠５０を掛けるための水平の固定片４５を設け、反対側の端部にストッパーやつまみ用としてのボルト・高ナット４６を内側に向かって突設して構成されている。図９に示すように、フック４２は、スライダ４３を右側に水平スライドさせると、扉本体２の自由端側の縦枠２３を取り囲むように位置し、係止により扉本体２が開くのを阻止するようにされている。
【００２９】
図１０に示すように、スライダ受け４４は、断面が縦長のＣ字状であり、スライダ４３が挿入される。縦長Ｃ字状の開口部にフック４２が位置し、上下のリップ片によりスライダ４３が水平スライド自在に支持される。また、南京錠５０を掛けるための水平の固定片４７が、スライダ４３が右側にスライドして施錠状態となったときにスライダ４３の固定片４５の下部に位置するように、下部のリップ片に設けられている。また、スライダ受け４４の反対側の端部には、垂直リブ片４８が上下のリップ片を連結するように設けられ、スライダ４３が右方向に離脱するのを防止している。なお、この垂直リブ片４８は、図９に示すように、扉本体２の縦枠２３の内側に位置できるようにされている。
【００３０】
スライダ４３が左側にスライドしているとき、扉本体２を開閉することができ、扉本体２を閉じてスライダ４３を右側に水平スライドさせれば、フック４２が縦枠２３を取り囲むように係止し、扉本体２が開くのを阻止する。さらに、上下に重なった固定片４５と固定片４７の穴に南京錠５０を掛ければ、スライダ４３が固定されて確実な施錠がなされる。
【００３１】
クランプ４０は、ヒンジ装置３のクランプ３０と同じであり、図９、図１０の建枠用のロック装置４の場合、基体４０ａの外面にスライダ受け４４の内面が溶接で固定される。この場合、抱持体４０ｂの軸着部分における突出部分がある面に固定するため、取付板４９を介在させるのがよい。
【００３２】
図１２に示す資材置場用のロック装置４の場合、フラットバーからなる連結部材５の基端部を基体４０ａの外面に溶接で固定し、連結部材５の先端面にスライダ受け４４の内面を溶接で固定する。
【００３３】
なお、本発明の簡易扉は、扉本体を上下反転すれば、反対開きにすることができる。また、仮設足場や資材置場の出入口に取付ける場合について例示したが、これに限らず、その他の用途の簡易扉にも本発明を適用できることは言うまでもない。
【００３４】
【発明の効果】
本発明は、以上のような構成からなるので、次のような効果が得られる。
【００３５】
（１）  仮設足場や資材置場等の支柱にヒンジ部品やロック部品をクランプを介して直接取付けるため、従来のような扉本体の外側を取り囲む長方形状の外枠や、外枠を支柱に取付けるクランプ取付部材及びクランプが不要となり、簡易な扉構造で、部材点数も少なく、また取付けも極めて容易に行うことができ、簡易で低コストの扉が得られる。
【００３６】
（２）  クランプとヒンジ部品及びロック部品が一体となっており、人の侵入を確実に防止することができる。
【００３７】
（３）  扉本体を上下反転すれば、反対開きとすることができる。
【図面の簡単な説明】
【図１】本発明の簡易扉を仮設足場の出入口に適用した一実施形態であり、（ａ）  は拡大平面図、（ｂ）  は正面図である。
【図２】本発明の簡易扉を仮設足場の出入口に適用した他の実施形態であり、（ａ）  は拡大平面図、（ｂ）  は正面図である。
【図３】本発明の簡易扉を資材置場に適用した一実施形態の部分拡大平面図である。
【図４】本発明の簡易扉を資材置場に適用した一実施形態であり、（ａ）  は平面図、（ｂ）  は正面図である。
【図５】本発明の簡易扉を資材置場に適用した他の実施形態であり、（ａ）  は平面図、（ｂ）  は正面図である。
【図６】本発明の簡易扉を資材置場に適用した他の実施形態であり、（ａ）  は平面図、（ｂ）  は正面図である。
【図７】本発明で用いる扉側のヒンジ部品であり、（ａ）  は扉ヒンジ部分の平面図と正面図と側面図、（ｂ）  は取付板の平面図と正面図と側面図である。
【図８】本発明のヒンジ装置を示す正面図と平面図であり、（ａ）  は建枠用、（ｂ）  は資材置場用である。
【図９】本発明の建枠用のロック装置の一例であり、（ａ）  は平面図、（ｂ）  は正面図、（ｃ）  は側面図である。
【図１０】図９のクランプとスライダ受けであり、（ａ）  は平面図、（ｂ）  は正面図、（ｃ）  は側面図である。
【図１１】図９のスライダであり、（ａ）  は平面図、（ｂ）  は正面図、（ｃ）  は側面図である。
【図１２】本発明の資材置場用のロック装置の一例であり、（ａ）  は平面図、（ｂ）  は正面図、（ｃ）  は側面図である。
【符号の説明】
Ａ……建枠
Ｂ……資材置場
１……簡易扉
２……扉本体
３……ヒンジ装置
４……ロック装置
５……連結部材
２０……ワイヤーメッシュ
２１……扉枠
２２……縦枠
２３……縦枠
２４……横枠
２５……横枠
２６……ボルト・ナット
３０……クランプ
３１……ヒンジ部品
３２……ヒンジ管
３３……ヒンジ管
３４……ヒンジボルト
３５……取付板
４０……クランプ
４１……ロック部品
４２……フック
４３……スライダ
４４……スライダ受け
４５……固定片
４６……ボルト・高ナット
４７……固定片
４８……垂直リブ片
４９……取付板
５０……南京錠
【図１】
2004316156.tif 000003
【図２】
2004316156.tif 000004
【図３】
2004316156.tif 000005
【図４】
2004316156.tif 000006
【図５】
2004316156.tif 000007
【図６】
2004316156.tif 000008
【図７】
2004316156.tif 000009
【図８】
2004316156.tif 000010
【図９】
2004316156.tif 000011
【図１０】
2004316156.tif 000012
【図１１】
2004316156.tif 000013
【図１２】
2004316156.tif 000014